(57)【特許請求の範囲】
【請求項１】
複数の測定ポート（５ａ）と、該複数の測定ポートで共有して試験機能を実現するＦＰＧＡ（５ｂ）とを有し、被測定物の測定内容に応じて装置本体のスロットに着脱可能に装着され、有線系の通信規格に基づく前記被測定物の測定を行うための複数の測定ハードウェア（５Ａ）と、設定内容に応じて前記複数の測定ハードウェアを任意に組み合わせて制御するための複数の測定アプリケーション（１１）とを備えたネットワーク試験装置（１）であって、
前記複数の測定ハードウェアのＦＰＧＡの回路資源が測定ハードウェア毎の測定ポート数で分割されており、
前記複数の測定ポートの全ての測定ポートを選択して測定を行う第１の動作モードと、前記複数の測定ポートの一部の測定ポートを選択して測定を行う第２の動作モードの何れかの動作モードが選択可能であり、
前記被測定物の測定の種類と信号方式に応じた測定アプリケーションが選択されたときに前記選択された動作モードに対応したポート数指定画面を表示し、当該ポート数指定画面において前記選択された測定アプリケーションで使用可能なポート数が指定されたときに該ポート数に応じた試験パラメータを選択設定するための試験パラメータ設定画面（１５）を表示する処理制御部（７）を備え、
前記ＦＰＧＡは、前記試験パラメータ設定画面で選択設定された試験パラメータに基づいて回路資源を前記ポート数指定画面で指定されたポート数の測定ポートに割り当てて試験機能を実現することを特徴とするネットワーク試験装置。
【請求項２】
複数の測定ポート（５ａ）と、該複数の測定ポートで共有して試験機能を実現するＦＰＧＡ（５ｂ）とを有し、有線系の通信規格に基づく被測定物の測定を行うための複数の測定ハードウェア（５Ａ）を、前記被測定物の測定内容に応じて装置本体のスロットに装着し、設定内容に応じて前記複数の測定ハードウェアを任意に組み合わせて複数の測定アプリケーション（１１）の中から選択される測定アプリケーションにより制御するネットワーク試験方法であって、
前記複数の測定ハードウェアのＦＰＧＡの回路資源を測定ハードウェア毎の測定ポート数で分割するステップと、
前記複数の測定ポートの全ての測定ポートを選択して測定を行う第１の動作モードと、前記複数の測定ポートの一部の測定ポートを選択して測定を行う第２の動作モードの何れかの動作モードを選択するステップと、
前記被測定物の測定の種類と信号方式に応じた測定アプリケーションが選択されたときに前記選択された動作モードに対応したポート数指定画面（１４）を表示するステップと、
前記ポート数指定画面において前記選択された測定アプリケーションで使用可能なポート数を指定するステップと、
前記ポート数指定画面で指定されたポート数に応じた試験パラメータを選択設定するための試験パラメータ設定画面（１５）を表示するステップと、
前記試験パラメータ設定画面で選択設定された試験パラメータに基づいて前記ＦＰＧＡの回路資源を前記ポート数指定画面で指定されたポート数の測定ポートに割り当てて試験機能を実現するステップとを含むことを特徴とするネットワーク試験方法。
【請求項３】
前記第２の動作モードに対応した前記ポート数指定画面（１４）が初期設定され、前記第２の動作モードの試験パラメータが有効な測定アプリケーションが起動されたときのみ前記ポート数指定画面が表示されることを特徴とする請求項１記載のネットワーク試験装置。
【請求項４】
前記第２の動作モードに対応した前記ポート数指定画面（１４）を初期設定するステップと、
前記第２の動作モードの試験パラメータが有効な測定アプリケーションが起動されたときのみ前記ポート数指定画面を表示するステップとを更に含むことを特徴とする請求項２記載のネットワーク試験方法。
【発明の詳細な説明】
【技術分野】
【０００１】
本発明は、有線系の各種通信規格に基づく被測定物（ＤＵＴ：Device Under Test ）の複数種類の測定を１台の装置で行うことができるネットワーク試験装置及びネットワーク試験方法に関する。
【背景技術】
【０００２】
特定の信号方式として、例えば、ＳＤＨ（Synchronous Digital Hierarchy ），ＰＤＨ（plesiochronous digital hierarchy），ＯＴＮ（Optical Transport Network ），Ｅｔｈｅｒｎｅｔ（登録商標）などの有線系の各種通信規格に基づく被測定物の各種測定を行う機能を有する測定装置では、複数の測定ハードウェアと複数の測定アプリケーションを１台の装置に備えており、個々の測定アプリケーションが一定の手順に沿って所定の測定ハードウェアを制御することにより被測定物の測定を行い、その測定結果をユーザに提供している。
【０００３】
この種の複数の測定ハードウェアと複数の測定アプリケーションを１台の装置に備えた測定装置としては、例えば下記特許文献１に開示されるものが知られている。特許文献１に開示される測定装置は、各種測定内容の複数の測定アプリケーションが記憶された共通ユニットと、バッテリユニットとの間に、測定ハードウェアとしての測定ユニットを挟み込むようにそれぞれコネクタ接続され、測定内容に応じて測定ユニットの増設、取り外し、組み換えが自由に行える構成となっている。
【０００４】
これにより、１つの測定アプリケーションが１つの測定ハードウェアを制御するだけでなく、１つの測定アプリケーションが複数の測定ハードウェアを連動して制御したり、１台の測定装置上で複数の測定アプリケーションを同時に並行起動して実行することが可能であり、様々な形態で被測定物の測定を行うことができる。
【０００５】
なお、同様の測定装置として、下記特許文献２には、複数のポートを備えた送受信モジュールが筐体内に複数収容され、これら送受信モジュールと被測定物との間のデータの送受信により被測定物の様々な測定を行う測定装置が開示されている。
【先行技術文献】
【特許文献】
【０００６】
【特許文献１】特開２０１０−２５８６３号公報
【特許文献２】特開２００３−４６５０８号公報
【発明の概要】
【発明が解決しようとする課題】
【０００７】
ところで、上述した特許文献１や特許文献２に開示される測定装置を含め、この種のネットワーク試験装置を用いるユーザの用途としては、被測定物の全てのポートの試験を一度に行って検査する製造用途と、被測定物の各ポート毎や特定のポートに対して詳細な試験を必要とする開発・保守用途とがある。このため、異なる用途の使用に対応できるネットワーク試験装置の提供が望まれていた。
【０００８】
そこで、本発明は上記問題点に鑑みてなされたものであって、異なる用途の使用に対応することができるネットワーク試験装置及びネットワーク試験方法を提供することを目的としている。
【課題を解決するための手段】
【０００９】
上記目的を達成するため、本発明の請求項１に記載されたネットワーク試験装置は、複数の測定ポート５ａと、該複数の測定ポートで共有して試験機能を実現するＦＰＧＡ５ｂとを有し、被測定物の測定内容に応じて装置本体のスロットに着脱可能に装着され、有線系の通信規格に基づく前記被測定物の測定を行うための複数の測定ハードウェア５Ａと、設定内容に応じて前記複数の測定ハードウェアを任意に組み合わせて制御するための複数の測定アプリケーション１１とを備えたネットワーク試験装置１であって、
前記複数の測定ハードウェアのＦＰＧＡの回路資源が測定ハードウェア毎の測定ポート数で分割されており、
前記複数の測定ポートの全ての測定ポートを選択して測定を行う第１の動作モードと、前記複数の測定ポートの一部の測定ポートを選択して測定を行う第２の動作モードの何れかの動作モードが選択可能であり、
前記被測定物の測定の種類と信号方式に応じた測定アプリケーションが選択されたときに前記選択された動作モードに対応したポート数指定画面を表示し、当該ポート数指定画面において前記選択された測定アプリケーションで使用可能なポート数が指定されたときに該ポート数に応じた試験パラメータを選択設定するための試験パラメータ設定画面１５を表示する処理制御部７を備え、
前記ＦＰＧＡは、前記試験パラメータ設定画面で選択設定された試験パラメータに基づいて回路資源を前記ポート数指定画面で指定されたポート数の測定ポートに割り当てて試験機能を実現することを特徴とする。
【００１０】
請求項２に記載されたネットワーク試験方法は、複数の測定ポート５ａと、該複数の測定ポートで共有して試験機能を実現するＦＰＧＡ５ｂとを有し、有線系の通信規格に基づく被測定物の測定を行うための複数の測定ハードウェア５Ａを、前記被測定物の測定内容に応じて装置本体のスロットに装着し、設定内容に応じて前記複数の測定ハードウェアを任意に組み合わせて複数の測定アプリケーション１１の中から選択される測定アプリケーションにより制御するネットワーク試験方法であって、
前記複数の測定ハードウェアのＦＰＧＡの回路資源を測定ハードウェア毎の測定ポート数で分割するステップと、
前記複数の測定ポートの全ての測定ポートを選択して測定を行う第１の動作モードと、前記複数の測定ポートの一部の測定ポートを選択して測定を行う第２の動作モードの何れかの動作モードを選択するステップと、
前記被測定物の測定の種類と信号方式に応じた測定アプリケーションが選択されたときに前記選択された動作モードに対応したポート数指定画面１４を表示するステップと、
前記ポート数指定画面において前記選択された測定アプリケーションで使用可能なポート数を指定するステップと、
前記ポート数指定画面で指定されたポート数に応じた試験パラメータを選択設定するための試験パラメータ設定画面１５を表示するステップと、
前記試験パラメータ設定画面で選択設定された試験パラメータに基づいて前記ＦＰＧＡの回路資源を前記ポート数指定画面で指定されたポート数の測定ポートに割り当てて試験機能を実現するステップとを含むことを特徴とする。
請求項３に記載されたネットワーク試験装置は、請求項１のネットワーク試験装置において、
前記第２の動作モードに対応した前記ポート数指定画面１４が初期設定され、前記第２の動作モードの試験パラメータが有効な測定アプリケーションが起動されたときのみ前記ポート数指定画面が表示されることを特徴とする。
請求項４に記載されたネットワーク試験方法は、請求項２のネットワーク試験方法において、
前記第２の動作モードに対応した前記ポート数指定画面１４を初期設定するステップと、
前記第２の動作モードの試験パラメータが有効な測定アプリケーションが起動されたときのみ前記ポート数指定画面を表示するステップとを更に含むことを特徴とする。
【発明の効果】
【００１１】
本発明によれば、各測定ハードウェア毎に測定ポートのポート数に応じた試験パラメータを選択して設定が可能となり、被測定物の全ての測定ポートの試験を一度に測定して検査する製造用途と、測定ポート毎や特定の測定ポートに対して詳細な試験を必要とする開発・保守用途の異なる用途に対応できるネットワーク試験装置を提供することができる。また、使用する測定ポートのポート数を減らした場合には、１つの測定ポートに割り当てられるＦＰＧＡの回路資源が増えるので、より高機能な試験機能によって被測定物の試験を行うことができる。
【図面の簡単な説明】
【００１２】
【図１】本発明に係るネットワーク試験装置の全体構成を示すブロック図である。
【図２】（ａ）本発明に係るネットワーク試験装置により第１の動作モードを選択する際のポート数指定画面の表示例を示す図である。  （ｂ）第１の動作モードが選択されたときの試験パラメータ設定画面の表示例を示す図である。
【図３】（ａ）本発明に係るネットワーク試験装置により第２の動作モードを選択する際のポート数指定画面の表示例を示す図である。  （ｂ）第２の動作モードが選択されたときの試験パラメータ設定画面の表示例を示す図である。
【発明を実施するための形態】
【００１３】
以下、本発明を実施するための形態について、添付した図面を参照しながら詳細に説明する。
【００１４】
本発明に係るネットワーク試験装置及びネットワーク試験方法は、特定の信号方式（例えば、ＳＤＨ（Synchronous Digital Hierarchy ），ＰＤＨ（plesiochronous digital hierarchy），ＯＴＮ（Optical Transport Network ），Ｅｔｈｅｒｎｅｔ（登録商標）などの有線系の各種通信規格）に基づく被測定物（例えば、ルータ、ハブ、伝送装置などの複数のポートを有するデータ伝送システム）の複数種類の測定を１台の装置で可能とし、被測定物の試験内容や信号方式に応じて選択されるポートの数によって動作モードを切り替え、１ポートに割り当てられるＦＰＧＡの回路資源を可変（増減）し、起動する機能の内容を決定する機能を有するものである。
【００１５】
（ネットワーク試験装置の全体構成について）
ネットワーク試験装置１は、装置本体をなす筐体に対し、図１に示すように、操作部２、入出力部３、記憶部４、測定ハードウェア部５、表示部６、処理制御部７を備えている。
【００１６】
ネットワーク試験装置１は、装置本体をなす筐体に複数のスロットＳ（図１の例では、３つのスロットＳ１，Ｓ２，Ｓ３）が設けられている。各スロットＳ１，Ｓ２，Ｓ３には、測定ハードウェア部５の複数の測定ハードウェア５Ａ（測定ハードウェアＡ、測定ハードウェアＢ、測定ハードウェアＣ）が被測定物の測定内容に応じて任意に着脱交換可能に装着される。
【００１７】
操作部２は、装置本体をなす筐体に設けられ、例えば各種キー、スイッチ、ボタンなどで構成される。操作部２は、被測定物の測定開始や停止の指示を行うとき、後述する設定ファイル１２の各種設定を表示部６の表示画面上で行うとき、後述するポート数指定画面１４や試験パラメータ設定画面１５で項目を選択するときなどに適宜操作される。
【００１８】
入出力部３は、例えば外部端末（ＰＣなど）や外部記憶媒体（ＵＳＢメモリ、外付けハードディスクなど）と接続される外部インターフェースで構成される。入出力部３は、処理制御部７により外部端末や外部記憶媒体との間の情報のやり取りが制御され、後述する設定ファイル１２や測定結果ファイル１３の入力や出力を行っている。
【００１９】
記憶部４は、被測定物の各種測定に必要不可欠な測定アプリケーション１１（図１の例では、２つの測定アプリケーション１１ａ，１１ｂ）、設定ファイル１２、測定結果ファイル１３を記憶している。
【００２０】
測定アプリケーション１１は、処理制御部７が複数の測定ハードウェア５Ａを任意に組み合わせて制御する際の被測定物の所定種類の測定（例えば、誤り検出測定、遅延測定、パケット損失測定、スループット測定など）を行うための一連の処理プログラムからなるソフトウェアで構成される。測定アプリケーション１１は、誤り検出測定、遅延測定、パケット損失測定、スループット測定などの被測定物の測定内容の種類と、ＳＤＨ，ＰＤＨ，ＯＴＮ，Ｅｔｈｅｒｎｅｔ（登録商標）などの信号方式に応じて選択される。
【００２１】
尚、図１の例では、測定アプリケーション１１（１１ａ，１１ｂ）として、測定アプリケーションαと測定アプリケーションβを図示しているが、その数が限定されるものではない。
【００２２】
設定ファイル１２は、被測定物に対してどんな測定を行いたいかを示すファイルであり、ネットワーク試験装置１によって被測定物の測定を行う際に、被測定物の測定内容に応じて操作部２の操作により適宜設定される情報からなり、記憶部４に一時的に保存記憶される。尚、設定ファイル１２は、測定の終了・開始とは無関係に、ユーザの操作により任意のタイミングで生成される。但し、ユーザが必要な設定操作を済ませたことを前提とする。
【００２３】
さらに説明すると、設定ファイル１２は、基本設定情報、使用通信方式・レート情報、ポート数情報、使用ポート情報から構成される。
【００２４】
基本設定情報は、測定ハードウェア５Ａによる被測定物の測定に必要な測定アプリケーション１１（１１ａ，１１ｂ）毎の基本的な設定情報からなる。基本設定情報の具体例としては、信号生成基準クロックの選択（内部水晶、又は外部信号取り込み）、ＳＤＨ／ＯＴＮにおける信号多重化階梯の選択、試験用Ｅｔｈｅｒｎｅｔ（登録商標）フレームのプロトコルスタック構成（例えば、Ｅｔｈｅｒｎｅｔ（登録商標）の中にＩＰｖ４を載せるかＩＰｖ６を載せるか、ＶＬＡＮタグを付与するか否か、ＭＰＬＳラベルを付与するか否かなど）、試験用Ｅｔｈｅｒｎｅｔ（登録商標）フレームに含まれる各種プロトコルヘッダの内容（例えば、ＩＰアドレスを何にするか、ＶＬＡＮダグやＭＰＬＳラベルのＩＤの値など）、試験用ＯＴＮ／ＳＤＨフレームに含まれる各種オーバーヘッドバイトの内容（例えば、通信事業者コードの付与など）、試験用送信Ｅｔｈｅｒｎｅｔ（登録商標）フレームの転送レートの設定（例えば、フルワイヤレートに対して何％で送信するか、どのような周期で送信を繰り返すかなど）、試験用疑似ランダムビットシーケンス信号の選択（例えば、ＰＲＢＳ７／ＰＲＢＳ９など）、試験合否判定の閾値、測定結果取得のサンプリング周期などがある。
【００２５】
使用通信方式・レート情報は、使用される通信方式（例えば、ＳＤＨ，ＰＤＨ，ＯＴＮ，Ｅｔｈｅｒｎｅｔ（登録商標）などの有線系の通信規格）と、使用される通信方式のレートに関する情報である。
【００２６】
ポート数情報は、使用される測定アプリケーション１１で必要とするポート数に関する情報である。
【００２７】
使用ポート情報は、使用される測定アプリケーション１１により制御される測定ハードウェア５Ａの各測定ポート５ａと紐付けされる論理ポート番号（図２や図３に示される数字１，２）と、使用されるコネクタおよび光トランシーバの種類に関する情報である。
【００２８】
尚、論理ポート番号は、同じグループに属する測定ポート５ａに対して同一の番号が付与される。また、上述した設定ファイル１２は、同じ設定条件で被測定物の繰り返し測定を行う場合、例えば図示しない外部端末や外部記憶媒体から入出力部３を介して読み出され、記憶部４に一時的に保存記憶される。
【００２９】
測定結果ファイル１３は、設定内容に基づく測定アプリケーション１１により測定ハードウェア５Ａを制御して実行される被測定物の測定結果に関するファイルであり、設定ファイル１２の設定内容に基づく所定サンプリング周期の被測定物の測定結果を示す履歴情報（被測定物の測定結果によるグラフや表の情報を含む）である。
【００３０】
測定結果ファイル１３は、測定終了時に作成され、被測定物の測定結果に関する情報を測定時の設定ファイル１２と紐付けて記憶部４に一時的に保存記憶される。
【００３１】
測定ハードウェア部５は、複数の測定ハードウェア５Ａ（図１の例では、３つの測定ハードウェア５Ａ１，５Ａ２，５Ａ３）を備えている。
【００３２】
個々の測定ハードウェア５Ａは、測定対象となる被測定物と有線接続される測定ポート５ａを備えており、装置本体をなす筐体のスロット１ａに対し、測定内容に応じて個々に組み合わせて任意に着脱交換可能に装着される。
【００３３】
また、個々の測定ハードウェア５Ａ（５Ａ１，５Ａ２，５Ａ３）は、測定ポート５ａと接続されるＦＰＧＡ（field-programmable gate array ）５ｂを備えている。各測定ハードウェア５Ａ毎のＦＰＧＡ５ｂは、ユーザが製造後に構成を設定できる集積回路であり、回路資源が測定ポート５ａの数で分割されている。各ＦＰＧＡ５ｂは、処理制御部７の制御により、設定ファイル１２の設定に基づく所定の測定を測定アプリケーション１１で実行するべく被測定物との間でデータの送受信を行っている。また、各ＦＰＧＡ５ｂは、処理制御部７の制御により、後述する試験パラメータ設定画面１５で選択設定された試験パラメータに基づいて回路資源を後述するポート数指定画面１４で指定されたポート数の測定ポート５ａに割り当てて試験機能を実現している。
【００３４】
表示部６は、液晶などの表示装置で構成される。表示部６は、処理制御部７の制御により、操作部２の操作により設定ファイル１２の設定内容を適宜設定する際の設定画面の表示、設定ファイル１２の設定内容に基づく測定結果の表示、使用する測定ハードウェア５Ａのポート数を指定して動作モードを決定する際の後述するポート数指定画面１４や試験パラメータ設定画面１５の表示などを行っている。
【００３５】
処理制御部７は、例えばＣＰＵ（Central Processing Unit ）やＲＯＭ（Read Only Memory），ＲＡＭ（Random Access Memory）等のプロセッサで構成され、ユーザが所望する被測定物の測定を行うように、操作部２からの操作信号の設定や設定ファイル１２に基づいて測定ハードウェア部５の測定ハードウェア５Ａを制御している。
【００３６】
処理制御部７は、操作部２、入出力部３、記憶部４、測定ハードウェア部５、表示部６を統括制御しており、資源管理部７ａ、表示制御部７ｂを備えている。
【００３７】
資源管理部７ａは、被測定物に対してどんな測定が行えるかを示す情報として、ネットワーク試験装置１の資源（測定ハードウェア５Ａ、測定ポート５ａ、使用者などの情報）の使用状況を管理している。
【００３８】
資源管理部７ａは、操作部２の操作により測定開始が指示されると、スロットＳ（Ｓ１，Ｓ２，Ｓ３）毎の測定ハードウェア５Ａの装着状態、スロットＳ（Ｓ１，Ｓ２，Ｓ３）毎の測定ポート５ａの空き状態、測定ポート５ａ毎の使用者情報（ＩＰアドレス）、設定ファイル１２の測定アプリケーション１１に対する各測定ポート５ａの能力（アビリティ）情報、スロットＳ（Ｓ１，Ｓ２，Ｓ３）毎の測定ハードウェア５Ａの種類をネットワーク試験装置１における測定開始直前の資源の使用状況として取得して管理している。
【００３９】
表示制御部７ｂは、複数の測定アプリケーション１１の中から被測定物の測定の種類や信号方式に応じて使用する測定アプリケーション１１が選択されたときに、その測定アプリケーション１１で使用可能なポート数を指定するため、図２（ａ）又は図３（ａ）に示すポート数指定画面１４を表示するように表示部６を制御している。
【００４０】
図２（ａ）又は図３（ａ）のポート数指定画面１４は、全ての測定ポート５ａ、すなわち、論理ポート番号１に紐付けされる測定ポート５ａ（図中の数字１で示すポート）と論理ポート番号２に紐付けされる測定ポート５ａ（図中の数字２で示すポート）を選択して測定を行う第１の動作モードと、論理ポート番号１と紐付けされる測定ポート５ａ（図中の数字１で示すポート）のみを選択して測定を行う第２の動作モードとを、チェックボックス１４ａのチェックの有無によって切り替え選択できるように表示される。尚、チェックボックス１４ａに代え、ラジオボタンにより第１の動作モードと第２の動作モードの何れかのモードを選択することもできる。
【００４１】
また、表示制御部７ｂは、図２（ａ）又は図３（ａ）のポート数指定画面１４で指定されたポート数、すなわち、チェックボックス１４ａのチェックの有無により選択された動作モードに応じた試験パラメータを選択設定するため、図２（ｂ）又は図３（ｂ）に示す試験パラメータ設定画面１５を表示するように表示部６を制御している。
【００４２】
さらに、表示制御部７ｂは、図２（ｂ）又は図３（ｂ）の試験パラメータ設定画面１５において、どのくらいのビットレートでデータを伝送するかを規定するＩＴＵ−Ｔ  Ｇ．７０９に定められた規格であるＯＴＮのマッピングの種類が試験パラメータとして選択設定できるように表示している。
【００４３】
尚、本例では、被測定物の測定の種類や信号方式に応じて測定アプリケーション１１が選択されると、図２（ａ）に示すように、チェックボックス１４ａにチェックが入った第１の動作モードが選択された状態のポート数指定画面１４が表示されるように初期設定されているが、図３（ａ）に示すように、チェックボックス１４ａにチェックが入っていない第２の動作モードが選択された状態のポート数指定画面１４が表示されるように初期設定しても良い。
【００４４】
また、ポート数指定画面１４は、表示制御部７ｂの制御により、第２の動作モードの試験パラメータが有効な測定アプリケーション１１が起動されたときのみ表示部６の表示画面上に表示することもできる。この場合、第２の動作モードの試験パラメータが無効な測定アプリケーション１１が起動されると、図３（ｂ）の試験パラメータ設定画面１５が表示される。
【００４５】
ところで、図１の例では、操作部２と表示部６を機能的に別々の構成として図示して説明したが、タッチパッドなどの位置入力装置（操作部２に相当）と液晶パネルなどの表示装置（表示部６に相当）を一体化した電子部品からなるタッチパネルで構成すれば、操作部２と表示部６を一つにまとめた構成とすることができる。
【００４６】
また、図１において、操作部２と処理制御部７との間、ならびに表示部６と処理制御部７との間はＬＡＮで接続される。このＬＡＮ接続は、ＨＵＢ機構によりネットワーク試験装置１の外からも接続可能な構成となっている。また、ＰＣを使ってＬＡＮ経由で接続することにより、ネットワーク試験装置１を遠隔操作することができる。そして、使用者情報としてのＩＰアドレスとは、この外部ＰＣのＩＰアドレスを意味する。
【００４７】
さらに、図１の例では、２つの測定アプリケーション１１ａ，１１ｂと３つの測定ハードウェア５Ａ１，５Ａ２，５Ａ３を備えた構成について図示したが、その数が限定されるものではない。
【００４８】
次に、上述したネットワーク試験装置１を用いたネットワーク試験方法について図２及び図３を参照しながら説明する。ここでは、ネットワーク試験装置１を起動し、被測定物を試験する際の測定の種類と信号方式に応じた測定アプリケーションが複数の測定アプリケーションの中から既に選択されているものとして説明する。
【００４９】
表示制御部７ｂは、被測定物の測定の種類と信号方式に応じた測定アプリケーション１１が選択されると、図２（ａ）に示すポート数指定画面１４を表示部６の表示画面上に表示する。図２（ａ）のポート数指定画面１４では、「Ｅｎａｂｌｅ  Ｐｏｒｔ２」のチェックボックス１４ａにチェックが入っており、第１の動作モードが選択されている状態となっている。表示制御部７ｂは、第１の動作モードの選択を確定する「Ａｃｃｅｐｔ」キー７ｃが押下されると、図２（ｂ）の試験パラメータ設定画面１５を表示する。図２（ｂ）の試験パラメータ設定画面１５では、Ｉｎｐｕｔ  Ｓｉｇｎａｌ：ＯＴＵ１、Ｃｌｉｅｎｔ  Ｓｉｇｎａｌ：ＯＴＵ１，ＯＴＵ１ｅ、Ｍｕｌｔｉｐｌｅｘｉｎｇ１：ＯＴＵ２，ＯＴＵ２ｅが試験パラメータとして選択設定可能に表示される。ユーザは、図２（ｂ）の試験パラメータ設定画面１５が表示された状態で操作部２からの操作入力により必要な項目の設定を行う。
【００５０】
そして、測定ハードウェア５ＡのＦＰＧＡ５ｂは、図２（ｂ）の試験パラメータ設定画面１５上の必要な項目の設定を終え、「Ｃｌｏｓｅ」キー１５ａが押下されると、図２（ｂ）の試験パラメータ設定画面１５の表示を閉じ、図２（ｂ）の試験パラメータ設定画面１５で選択設定された試験パラメータに基づいて回路資源を図２（ａ）のポート数指定画面１４で指定されたポート数の測定ポート５ａに割り当てて試験機能を実現する。
【００５１】
一方、上述した図２（ａ）のポート数指定画面１４において、「Ｅｎａｂｌｅ  Ｐｏｒｔ２」のチェックボックス１４ａのチェックを外すと、図３（ａ）のポート数指定画面１４が表示され、動作モードが第１の動作モードから第２の動作モードに切り替わり、第２の動作モードが選択された状態となる。表示制御部７ｂは、第２の動作モードの選択を確定する「Ａｃｃｅｐｔ」キー７ｃが押下されると、図３（ｂ）の試験パラメータ設定画面１５を表示する。図３（ｂ）の試験パラメータ設定画面１５では、第１の動作モード選択時のＩｎｐｕｔ  Ｓｉｇｎａｌ：ＯＴＵ１、Ｃｌｉｅｎｔ  Ｓｉｇｎａｌ：ＯＴＵ１，ＯＴＵ１ｅ、Ｍｕｌｔｉｐｌｅｘｉｎｇ１：ＯＴＵ２，ＯＴＵ２ｅに加え、Ｍｕｌｔｉｐｌｅｘｉｎｇ２：ＯＴＵ３，ＯＴＵ３ｅ，ＯＴＵ４が試験パラメータとして選択設定可能に表示される。すなわち、指定される測定ポート５ａのポート数が減ると、試験パラメータの項目数が増え、より密な設定が行えるようになる。ユーザは、図３（ｂ）の試験パラメータ設定画面１５が表示された状態で操作部２からの操作入力により必要な項目の設定を行う。
【００５２】
そして、測定ハードウェア５ＡのＦＰＧＡ５ｂは、図３（ｂ）の試験パラメータ設定画面１５上の必要な項目の設定を終え、「Ｃｌｏｓｅ」キー１５ａが押下されると、図３（ｂ）の試験パラメータ設定画面１５の表示を閉じ、図３（ｂ）の試験パラメータ設定画面１５で選択設定された試験パラメータに基づいて回路資源を図３（ａ）のポート数指定画面１４で指定されたポート数の測定ポート５ａに割り当てて試験機能を実現する。
【００５３】
このように、本発明のネットワーク試験装置及びネットワーク試験方法によれば、各測定ハードウェア５ＡのＦＰＧＡ５ｂの回路資源が測定ポート５ａの数で分割されており、被測定物の測定の種類や信号方式に応じて複数の中から測定アプリケーション１１が選択されると、その測定アプリケーション１１で使用する測定ポート数を指定するためのポート数指定画面１４を表示し、このポート数指定画面１４で指定されたポート数に応じた試験パラメータを選択設定するための試験パラメータ設定画面１５を表示している。そして、各測定ハードウェア５ＡのＦＰＧＡ５ｂは、試験パラメータ設定画面１５で選択設定された試験パラメータに基づいて回路資源をポート数指定画面１４で指定されたポート数の測定ポート５ａに割り当てて試験機能を実現している。
【００５４】
これにより、各測定ハードウェア５Ａ毎に測定ポート５ａのポート数に応じた試験パラメータを選択して設定が可能となり、ユーザが所望とする用途、例えば被測定物の全ての測定ポートの試験を一度に測定して検査する製造用途や測定ポート毎や特定の測定ポートに対して詳細な試験を必要とする開発・保守用途などのような異なる用途に対応できるネットワーク試験装置１を提供することができる。また、使用する測定ポート５ａのポート数を減らした場合には、１つの測定ポート５ａに割り当てられるＦＰＧＡ５ｂの回路資源が増えるので、より高機能な試験機能によって被測定物の試験を行うことができる。
【００５５】
以上、本発明に係るネットワーク試験装置及びネットワーク試験方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５６】
１  ネットワーク試験装置
２  操作部
３  入出力部
４  記憶部
５  測定ハードウェア部
５Ａ  測定ハードウェア
５ａ  測定ポート
５ｂ  ＦＰＧＡ
６  表示部
７  処理制御部
７ａ  資源管理部
７ｂ  表示制御部
１１  測定アプリケーション
１２  設定ファイル
１３  測定結果ファイル
１４  ポート数指定画面
１４ａ  チェックボックス
１５  試験パラメータ設定画面
【図１】
0005933638.tif 000002
【図２】
0005933638.tif 000003
【図３】
0005933638.tif 000004